(57)【特許請求の範囲】
【請求項１】
容器前部及び当該容器前部に回転可能且つ軸線方向に移動不能とされた容器後部を備えた筒状の容器と、前記容器前部に対して同期回転可能且つ軸線方向に移動可能とされ、先端に棒状物を支持し外周部に雄螺子を備えた移動体と、前記容器後部に対して同期回転可能とされ、内周部に前記雄螺子に螺合する雌螺子を備えた雌螺子部と、を具備し、前記容器前部と前記容器後部の相対回転によって、前記雄螺子及び前記雌螺子より構成された螺合部が働いて前記移動体が進退し前記棒状物が容器先端の開口から出没する棒状物繰出容器において、
前記雌螺子部は、軸線方向に移動可能とされており、
前記雌螺子部の軸線方向後方への移動を抑制する第１のバネと、
前記雌螺子部の軸線方向前方への移動を抑制する第２のバネと、
前記第１のバネと前記第２のバネとの間に介在する第３のバネと、を備え、
前記第３のバネは、容器組立時に軸線方向に完全に潰れた状態となることを特徴とする棒状物繰出容器。
【請求項２】
前記第１のバネ、前記第３のバネ、前記雌螺子部は、軸線方向後方から前方へ向かってこの順に並び一体化された雌螺子バネ部材であることを特徴とする請求項１記載の棒状物繰出容器。
【請求項３】
前記第１のバネ及び前記第３のバネは、周面にスリットを有する樹脂バネであり、前記第２のバネはコイルバネであることを特徴とする請求項２記載の棒状物繰出容器。
【請求項４】
前記第２のバネは、前記容器前部の後端側の部分と前記雌螺子バネ部材の前記第３のバネより前側の部分との間に挟み込まれていることを特徴とする請求項２又は３記載の棒状物繰出容器。
【発明の詳細な説明】
【技術分野】
【０００１】
本発明は、棒状物を繰り出す棒状物繰出容器に関する。
【背景技術】
【０００２】
従来、棒状化粧料繰出容器として、以下の特許文献１に記載のものが知られている。この特許文献１に記載の棒状化粧料繰出容器は、容器前部と、この容器前部に回転可能且つ軸線方向に移動不能に装着された容器後部と、容器前部に対して同期回転可能且つ軸線方向に移動可能とされ、先端に棒状化粧料を支持し外周部に雄螺子を備えた移動体と、容器後部に対して同期回転可能とされ、内周部に雄螺子に螺合する雌螺子を備えた雌螺子部材と、を具備し、容器前部と容器後部が相対回転されると、雄螺子及び雌螺子より構成された螺合部が働いて移動体が進退し棒状化粧料が容器先端の開口から出没するものである。
【０００３】
特に、この棒状化粧料繰出容器にあっては、雌螺子部材が、前側から後側に向かって、雌螺子、軸線方向に伸縮可能なバネ部（第２のバネ部）をこの順に備えると共に、バネ部後端の軸線方向の移動がほぼ阻止された状態とされているため、例えば落下等により雌螺子部材に対して軸線方向前後の何れの方向に衝撃が作用しても、バネ部が軸線方向に縮退又は伸張し（伸縮し）これに伴い雌螺子も軸線方向前後に移動しこれに従い雌螺子に螺合する雄螺子を有する移動体も前後に移動し、その結果、棒状化粧料への衝撃を吸収でき、棒状化粧料を保護できるとされている。
【先行技術文献】
【特許文献】
【０００４】
【特許文献１】特開２０１２−９６００９号公報
【発明の概要】
【発明が解決しようとする課題】
【０００５】
ここで、前述したように、上記棒状化粧料繰出容器にあっては、雌螺子部材に対して軸線方向（後方又は前方）に衝撃が作用すると、バネ部が縮退又は伸張しこの衝撃を吸収するわけであるが、縮退又は伸張後に元の形状に復元すべく、勢い良く軸線方向反対方向へ伸張又は縮退する。従って、棒状化粧料には、復元力による衝撃が再び作用することになり、棒状化粧料の保護をより高めることが望まれている。
【０００６】
そこで、本発明は、棒状化粧料を始めとした棒状物を十分に保護できる棒状物繰出容器を提供することを目的とする。
【課題を解決するための手段】
【０００７】
本発明による棒状物繰出容器は、容器前部及び当該容器前部に回転可能且つ軸線方向に移動不能とされた容器後部を備えた筒状の容器と、容器前部に対して同期回転可能且つ軸線方向に移動可能とされ、先端に棒状物を支持し外周部に雄螺子を備えた移動体と、容器後部に対して同期回転可能とされ、内周部に雄螺子に螺合する雌螺子を備えた雌螺子部と、を具備し、容器前部と容器後部の相対回転によって、雄螺子及び雌螺子より構成された螺合部が働いて移動体が進退し棒状物が容器先端の開口から出没する棒状物繰出容器において、雌螺子部は、軸線方向に移動可能とされており、雌螺子部の軸線方向後方への移動を抑制する第１のバネと、雌螺子部の軸線方向前方への移動を抑制する第２のバネと、第１のバネと第２のバネとの間に介在する第３のバネと、を備え、第３のバネは、容器組立時に軸線方向に完全に潰れた状態となることを特徴としている。
【０００８】
このような棒状物繰出容器によれば、棒状物は移動体の先端に支持され、この移動体の雄螺子に螺合する雌螺子を備えた雌螺子部に対して、軸線方向の衝撃が作用し当該雌螺子部が軸線方向後方へ移動する際には、雌螺子部の後方への移動が第１のバネにより抑制されて衝撃が吸収され、その後、第１のバネが元の形状に復元する際には、雌螺子部の前方への移動が第２のバネにより抑制されて復元力による衝撃が吸収される。また、雌螺子部に対して、軸線方向の衝撃が作用し当該雌螺子部が軸線方向前方へ移動する際には、雌螺子部の前方への移動が第２のバネにより抑制されて衝撃が吸収され、その後、第２のバネが元の形状に復元する際には、雌螺子部の後方への移動が第１のバネにより抑制されて復元力による衝撃が吸収される。このように、雌螺子部に作用する軸線方向の衝撃は、第１のバネ又は第２のバネの何れか一方のバネで吸収され、何れか一方のバネが復元する際の復元力による衝撃は他方のバネで吸収されるため、移動体の先端に支持された棒状化粧料を十分に保護することができる。
【０００９】
ここで、第１及び第２のバネの製造誤差に起因して、第１及び第２のバネにより軸線方向に支持される雌螺子部の軸線方向の位置が、組立時においてばらついてしまい、雌螺子部の雌螺子に螺合する移動体のその先端に支持された棒状物が、容器先端の開口から飛び出してしまったり、又、容器内で下がり過ぎてしまったりする等の不具合を生じる場合がある。
【００１０】
しかしながら、本発明による棒状化粧料繰出容器によれば、第１及び第２のバネの製造誤差に起因した組立時の雌螺子部の軸線方向の位置のばらつきは、第１のバネと第２のバネとの間に介在する第３のバネが組立時において完全に潰されることにより吸収される。すなわち、第３のバネは、組立用の捨てバネとして機能し、完全に潰されることにより第１のバネ及び第２のバネの製造誤差を吸収し、雌螺子部の軸線方向の位置のばらつきを解消できる。その結果、組立時に棒状物が所定の位置に位置するように容易に組立を行うことができる。
【００１１】
ここで、第１のバネ、第３のバネ、雌螺子部は、軸線方向後方から前方へ向かってこの順に並び一体化された雌螺子バネ部材であるのが好ましい。このような構成を採用した場合、部品点数を低減できると共に、組立が一層容易となる。
【００１２】
また、上記作用を好適に奏する構成としては、具体的には、第１のバネ及び第３のバネは、周面にスリットを有する樹脂バネであり、第２のバネはコイルバネである構成が挙げられる。
【００１３】
また、上記作用を好適に奏する構成としては、具体的には、第２のバネは、容器前部の後端側の部分と雌螺子バネ部材の第３のバネより前側の部分との間に挟み込まれる構成が挙げられる。
【発明の効果】
【００１４】
このように本発明によれば、棒状物を十分に保護できると共に、棒状物が所定の位置に位置するように容易に組立を行うことができる。
【図面の簡単な説明】
【００１５】
【図１】本発明の実施形態に係る棒状物繰出容器としての棒状化粧料繰出容器の初期状態を示す縦断面図である。
【図２】図１中の棒状化粧料カートリッジを示す縦断面図である。
【図３】図２に示す初期状態から棒状化粧料が前進した状態を示す縦断面図である。
【図４】図２に示す棒状化粧料カートリッジの要部の破断斜視図である。
【図５】図２中の本体筒を示す縦断面図である。
【図６】図２中の雌螺子バネ部材を示す斜視図である。
【図７】図６に示す雌螺子バネ部材の縦断面図である。
【図８】図２中の先筒を示す縦断面図である。
【図９】図２中の移動体を示す一部断面側面図である。
【発明を実施するための形態】
【００１６】
以下、本発明による棒状物繰出容器の好適な実施形態について図１〜図９を参照しながら説明する。本実施形態では、棒状物は棒状化粧料とされ、棒状物繰出容器は、棒状化粧料繰出容器とされている。具体的には、本実施形態の棒状化粧料繰出容器は、例えば、アイライナー、アイブロー、リップライナー、コンシーラー等を始めとした種々の棒状化粧料を収容し、使用者の操作により適宜出没させるものである。
【００１７】
図１に示すように、棒状化粧料繰出容器１００は、全体形状が筆記具の如き細長い丸棒状を呈し、前側の棒状化粧料カートリッジ１０を、後側の長尺なホルダ（容器後部）１１の開放端側に着脱可能に装着し使用するものである。
【００１８】
棒状化粧料カートリッジ１０は、図１〜図３に示すように、先筒（容器前部）１と、本体筒２と、を備えた有底円筒状容器であり、これらの先筒１及び本体筒２内に、棒状化粧料Ｍと、棒状化粧料Ｍを支持すると共に螺合部の一方を構成する移動体３と、バネ４ａ，４ｂを有すると共に螺合部の他方を構成する雌螺子バネ部材４と、を収容し、さらに、雌螺子バネ部材４を後方へ付勢するバネ５を収容する。
【００１９】
本体筒２は、有底円筒状を成し、図５に示すように、外周面に設けられた鍔部２ａより後側が、ホルダ１１に内挿される内挿部とされる。鍔部２ａより後側の外周面には、ホルダ１１に着脱可能に装着するための雄螺子２ｂが、軸線方向に所定長延びるように設けられる。本体筒２の鍔部２ａと雄螺子２ｂとの間の筒部には、内外を連通する小窓２ｃが一対、対向して開口され、この小窓２ｃの前側の内周面には、軸線方向に向かって突出する係止凸部２ｈが、先筒１を軸線方向に係合するためのものとして設けられる。また、本体筒２には、その内周面に、底部から先端側に向かって長尺に延びる突条２ｉが、雌螺子バネ部材４を回転方向に係合するためのものとして、周方向に沿って複数（ここでは４個）等配に並設される。
【００２０】
先筒１は、図８に示すように、軸線方向中程の外周面に段差部１ａを有する段付き円筒状に構成され、この段差部１ａより後側に続く小径の円筒部が、本体筒２に内挿される内挿部とされると共に、段差部１ａより前側に続く大径で先端に向けて先細り形状となる円筒部が、本体筒２の先端から突出し使用者による先筒１と本体筒２の相対回転時に把持される把持部とされる。先筒１の段差部１ａより後側の外周面には、本体筒２の小窓２ｃの前側の係止凸部２ｈに軸線方向に係合するための凸部１ｈが円環状に設けられる。
【００２１】
先筒１には、先端の開口１ｇから後端迄貫通する筒孔が設けられると共に、この筒孔のほぼ前半部が、棒状化粧料Ｍの進退を可能とする棒状化粧料孔１ｃとされる。棒状化粧料孔１ｃの周囲の複数箇所（ここでは四等配の位置）には、開口１ｇの近傍から筒孔の軸線方向中程辺りに亘って、移動体３の後述する支持片３ｄを収容し摺動を可能とする支持片溝１ｄが連設され、これらの棒状化粧料孔１ｃ及び支持片溝１ｄにより、棒状化粧料Ｍ及び支持片３ｄが摺動する進退孔１ｅが構成される。また、先筒１の支持片溝１ｄより後方の内周面は、段差部１ｆを介して拡径され、この段差部１ｆが、バネ５の先端を突き当てるための段差部とされる。
【００２２】
この先筒１は、図２に示すように、その内挿部が本体筒２の先端側から内挿され、その段差部１ａが本体筒２の先端面に突き当てられると共に、その凸部１ｈが本体筒２の係止凸部２ｈに軸線方向に係合することにより、本体筒２に対して回転可能且つ軸線方向に移動不能に装着される。
【００２３】
移動体３は、図９に示すように、棒状化粧料Ｍの後端部を支持するための支持部３ａと、支持部３ａより後側の軸体部３ｂと、を備える。軸体部３ｂは、軸線方向に延在する軸体であり、当該軸体部３ｂの外周面（外周部）には、螺合部の一方を構成する雄螺子３ｅが軸線方向に延びるように設けられる。支持部３ａは、その外形が棒状化粧料Ｍの外形に略一致し棒状化粧料Ｍの後端面を突き当てるための基部３ｃと、この基部３ｃにおける外周面の周方向の複数位置（ここでは四等配の位置）に先端側に向かって突出するように設けられ、基部３ｃに突き当てられた棒状化粧料Ｍの後端部を相互間に挟んで支持する支持片３ｄと、を備える。
【００２４】
この移動体３は、図２に示すように、その先端側が先筒１の後端側から内挿され、その基部３ｃが先筒１の進退孔１ｅに進入すると共に、その支持片３ｄが先筒１の支持片溝１ｄに進入する。そして、移動体３の支持片３ｄが進入する支持片溝１ｄは、移動体３の回り止めとされ、移動体３は、先筒１に同期回転可能且つ軸線方向に移動可能に装着される。
【００２５】
雌螺子バネ部材４は、ここでは、樹脂による一体成形品とされ、図６及び図７に示すように、略円筒状に構成され、その後端側から先端側へ向かって、軸線方向に伸縮可能な後端側のバネ（第１のバネ）４ａ及び先端側のバネ（第３のバネ）４ｂ、雌螺子部４ｃを、この順に具備する。先端側のバネ４ｂ及び後端側のバネ４ａは、それぞれ、周面にスリットを有し略螺旋状に一体成形された樹脂バネである。後端側のバネ４ａは、ここでは、先端側のバネ４ｂより大径とされる。
【００２６】
雌螺子部４ｃの後端と先端側のバネ４ｂの先端とを連結する円筒部分には鍔部４ｄが設けられ、先端側のバネ４ｂの後端と後端側のバネ４ａの先端とを連結する円筒部分には鍔部４ｆが設けられ、後端側のバネ４ａの後端には円筒部が連結されて当該円筒部分には鍔部４ｇが設けられる。これら鍔部４ｄ，４ｆ，４ｇのうちの鍔部４ｄは、バネ５の後端を突き当てるための鍔部とされる。そして、鍔部４ｄ，４ｆ，４ｇの各外周面には、図６に示すように、軸線方向に延びる凹部４ｉが、本体筒２の突条２ｉに回転方向に係合するためのものとして、周方向に沿って複数設けられる。
【００２７】
また、雌螺子部４ｃは、図７に示すように、その先端部の内周面に、螺合部の他方を構成し移動体３の雄螺子３ｅに螺合する一対の螺合突起を雌螺子４ｅ，４ｅとして対向して備える。
【００２８】
バネ（第２のバネ）５は、ここでは、コイルバネであり、ＳＵＳより成形される。このように、コイルバネをＳＵＳより成形することによって、樹脂バネ４ａ，４ｂに比して製造上のばらつきを低減できる。このコイルバネ５は、雌螺子バネ部材４の雌螺子部４ｃに巻き付くように（囲繞するように）配置されるものである。そして、これらのバネ４ａ，４ｂ，５の強度は、先端側のバネ４ｂ＜コイルバネ５＜後端側のバネ４ａの順で強くなっている。なお、バネ強度は、バネ定数、ピッチ、肉厚等により決定される。また、後端側のバネ４ａは、棒状化粧料Ｍによる塗布の際の筆圧を吸収する強度に設定されている。
【００２９】
そして、図２に示すように、雌螺子バネ部材４の雌螺子４ｅに移動体３の雄螺子３ｅが螺合し、雌螺子バネ部材４の先端面に移動体３の基部３ｃの後端面が当接する移動体３の後退限まで当該移動体３が螺子込まれる。雌螺子バネ部材４に装着された移動体３は、前述したように先筒１に装着され、この移動体３及び雌螺子バネ部材４を装着した先筒１は、前述したように本体筒２に装着される。
【００３０】
すなわち、雌螺子バネ部材４は、その後端側が本体筒２の先端側から内挿され、図２及び図４に示すように、その鍔部４ｇ，４ｆ，４ｄの凹部４ｉに、本体筒２の突条２ｉが進入し回転方向に係合することにより、本体筒２に同期回転可能且つ軸線方向に移動可能に装着される。
【００３１】
また、先筒１が本体筒２に装着されることにより、雌螺子バネ部材４の後端側の鍔部４ｇが本体筒２の底部に当接すると共に、雌螺子バネ部材４の雌螺子部４ｃに巻き付くように配置されたコイルバネ５は、雌螺子バネ部材４の先端側の鍔部４ｄと先筒１の段差部１ｆとの間に挟み込まれる。この状態で、雌螺子バネ部材４の先端側のバネ４ｂは、鍔部４ｆ，４ｄの間、すなわち、後端側のバネ４ａとコイルバネ５との間で完全に潰れた状態になっている。具体的には、先端側のバネ４ｂは、組立時において軸線方向に隙間なく圧縮しきった状態になっている（理由については後述）。
【００３２】
斯くの如く、棒状化粧料カートリッジ１０は構成される。
【００３３】
一方、図１に示すように、ホルダ１１は有底円筒状に構成され、その先端側の内周面に、本体筒２の雄螺子２ｂに螺合する雌螺子１１ｂを、棒状化粧料カートリッジ１０を着脱可能に装着するためのものとして備える。
【００３４】
そして、棒状化粧料カートリッジ１０が、ホルダ１１の先端側から内挿され、棒状化粧料カートリッジ１０の雄螺子２ｂがホルダ１１の雌螺子１１ｂに螺合しながら、棒状化粧料カートリッジ１０の鍔部２ａがホルダ１１の先端面に突き当てられることにより、当該棒状化粧料カートリッジ１０がホルダ１１に装着されて一体化され、キャップ１２が装着されることにより、初期状態の棒状化粧料繰出容器１００が得られる。棒状化粧料繰出容器１００は、この初期状態で販売に供される。
【００３５】
次に、このような構成を有する棒状化粧料繰出容器１００の作用を説明する。使用者により、キャップ１２が取り外されて先筒１とホルダ１１とが繰り出し方向に相対回転されると、図３に示すように、移動体３の雄螺子３ｅ及び雌螺子バネ部材４の雌螺子４ｅより構成された螺合部の螺合作用が働き、移動体３が前進し、棒状化粧料Ｍが先筒１の先端の開口１ｇから出現し塗布に供される。そして、棒状化粧料Ｍを塗布する際に棒状化粧料Ｍに作用する軸線方向の筆圧は、強度が強い後端側のバネ４ａで吸収される。
【００３６】
また、塗布が終了し、使用者により、先筒１とホルダ１１とが繰り戻し方向に相対回転されると、上記螺合部の螺合作用が働いて移動体３が後退し、棒状化粧料Ｍが先筒１の先端の開口１ｇから没入する。
【００３７】
なお、ここでは、棒状化粧料繰出容器１００を、棒状化粧料カートリッジ１０がホルダ１１に装着されたものとしているが、棒状化粧料カートリッジ１０がホルダ１１から取り外されたものとすることもできる。このようなホルダ１１がない棒状化粧料繰出容器において、棒状化粧料Ｍを先筒１の開口１ｇから出没させる際には、容器前部を構成する先筒１と容器後部を構成する本体筒２とを繰り出し方向又は繰り戻し方向に相対回転させれば良い。
【００３８】
ここで、棒状化粧料カートリッジ１０がホルダ１１に装着された棒状化粧料繰出容器１００、若しくは、ホルダ１１から棒状化粧料カートリッジ１０が取り外された棒状化粧料繰出容器（棒状化粧料カートリッジ１０）が、先端側又は後端側から落下した場合には、その衝撃でまず雌螺子バネ部材４の雌螺子部４ｃが軸線方向一方側へ移動し、次いで、雌螺子部４ｃに対して軸線方向他方側への衝撃が作用し、雌螺子部４ｃが軸線方向他方側へ移動する。
【００３９】
具体的には、棒状化粧料カートリッジ１０がホルダ１１に装着された棒状化粧料繰出容器１００、若しくは、ホルダ１１から棒状化粧料カートリッジ１０が取り外された棒状化粧料繰出容器が、先端側から落下した場合には、その衝撃でまず雌螺子部４ｃが軸線方向前方へ移動し、次いで、雌螺子部４ｃに対して軸線方向後方への衝撃が作用し、雌螺子部４ｃが軸線方向後方へ移動する。
【００４０】
そして、雌螺子部４ｃが軸線方向に移動するにあたって、雌螺子部４ｃの前方への移動がコイルバネ５により抑制されて衝撃が吸収（緩衝）され、その後、コイルバネ５が元の形状に復元する（戻る）際には、雌螺子部４ｃの後方への移動が後端側のバネ４ａにより抑制されて復元力による衝撃（振動）が吸収される。なお、このような雌螺子部４ｃの軸線方向の移動に際しては、先端側のバネ４ｂは、当初の潰れた状態を維持し、上記作用には影響を及ぼさない。
【００４１】
また、棒状化粧料カートリッジ１０がホルダ１１に装着された棒状化粧料繰出容器１００、若しくは、ホルダ１１から棒状化粧料カートリッジ１０が取り外された棒状化粧料繰出容器が、後端側から落下した場合には、その衝撃でまず雌螺子部４ｃが軸線方向後方へ移動し、次いで、雌螺子部４ｃに対して軸線方向前方への衝撃が作用し、雌螺子部４ｃが軸線方向前方へ移動する。
【００４２】
そして、雌螺子部４ｃが軸線方向に移動するにあたって、雌螺子部４ｃの後方への移動が後端側のバネ４ａにより抑制されて衝撃が吸収（緩衝）され、その後、後端側のバネ４ａが元の形状に復元する（戻る）際には、雌螺子部４ｃの前方への移動がコイルバネ５により抑制されて復元力による衝撃（振動）が吸収される。なお、前述したように、このような雌螺子部４ｃの軸線方向の移動に際しては、先端側のバネ４ｂは、当初の潰れた状態を維持し、上記作用には影響を及ぼさない。
【００４３】
このように、本実施形態においては、雌螺子部４ｃに作用する軸線方向の衝撃は、雌螺子部４ｃに対して対向する付勢力を有する後端側のバネ４ｂ又はコイルバネ５の何れか一方のバネで吸収され、何れか一方のバネが復元する際の復元力による衝撃は他方のバネで吸収されるため、雌螺子部４ｃの雌螺子４ｅに螺合する移動体３のその先端に支持された棒状化粧料Ｍを十分に保護することができる。
【００４４】
ここで、先端側のバネ４ｂが軸線方向に圧縮しきって潰れている理由について説明する。前述したように軸線方向の両方の衝撃を吸収すべく、後端側のバネ４ａ及びコイルバネ５を設け、先端側のバネ４ｂを設けないとすると、付勢力が対向するバネ４ｂ，５の製造誤差により、組立時において雌螺子部４ｃ（雌螺子４ｅ）の軸線方向の位置がばらついてしまい（安定せず）、その結果、棒状化粧料Ｍの先端が、容器先端の開口１ｇから飛び出してしまったり、容器先端の開口１ｇより後ろに下がりすぎてしまう等の不具合を生じる場合がある。
【００４５】
しかしながら、本実施形態では、後端側のバネ４ａ及びコイルバネ５の製造誤差に起因した組立時の雌螺子部４ｃの軸線方向の位置のばらつきは、後端側のバネ４ａとコイルバネ５との間に介在する先端側のバネ４ｂが、組立時において潰されることにより吸収されている。すなわち、先端側のバネ４ｂは、組立用の捨てバネとして機能し、潰されることにより後端側のバネ４ａ及びコイルバネ５の製造誤差を吸収し、雌螺子部４ｃの軸線方向の位置のばらつきを解消できる。その結果、組立時において棒状化粧料Ｍが所定の位置に位置するように容易に組立を行うことができる。
【００４６】
なお、組立時において先端側のバネ４ｂを潰さない程度に圧縮した場合（圧縮しきっていない場合）には、雌螺子部４ｃの軸線方向の位置が安定せず、棒状化粧料Ｍの出過ぎ又は下がり過ぎの問題は残ることになる。
【００４７】
以上、本発明をその実施形態に基づき具体的に説明したが、本発明は上記実施形態に限定されるものではなく、例えば、上記実施形態においては、第１のバネ及び第３のバネを、一体化され周面にスリットを有する後端側のバネ４ａ及び先端側のバネ４ｂから成る樹脂バネとし、第２のバネをコイルバネ５としているが、この組み合わせに限定されるものではない。すなわち、第１のバネ及び第３のバネを、別体の樹脂バネや、一体化され強度の異なるコイルバネや、別体としたコイルバネとしても良い。また、第２のバネを樹脂バネとしても良く、さらには、全てのバネを樹脂バネや、コイルバネとしても良い。
【００４８】
また、上記実施形態においては、第３のバネを第１のバネ側に設けているが、第２のバネ側に設け潰すようにしても良い。具体的には、第２のバネ及び第３のバネを、一体化され周面にスリットを有する樹脂バネとし、第１のバネをコイルバネとしても良く、第２のバネ及び第３のバネを、別体の樹脂バネや、一体化され強度の異なるコイルバネや、別体としたコイルバネとしても良い。また、第１のバネを樹脂バネとしても良く、さらには、全てのバネを樹脂バネや、コイルバネとしても良い。さらに、第１〜第３のバネの強度も第３のバネ＜第２のバネ＜第１のバネに限定されるものではなく、第３のバネ＜第１のバネ＜第２のバネとすることもできる。この場合も、第３のバネが組立時に軸線方向に潰れていれば良く、また、第１のバネが、棒状化粧料Ｍによる塗布の際の筆圧を吸収する強度に設定されていれば良い。
【００４９】
また、雄螺子、雌螺子は、間欠的に配される突起群又は螺旋状且つ間欠的に配される突起群のように螺子山と同様な働きをするものであれば良く、また、螺合突起は、連続する螺子山であっても良い。
【００５０】
また、上記実施形態においては、特に好ましいとして、棒状物を棒状化粧料Ｍとした棒状化粧料繰出容器１００に対する適用を述べているが、棒状物を例えば鉛筆等とした筆記具等の棒状物繰出容器に対しても勿論適用可能である。
【符号の説明】
【００５１】
１…先筒（容器前部）、１ｆ…段差部（容器前部の後端側の部分）、１ｇ…開口、２…本体筒（容器後部）、３…移動体、３ｅ…雄螺子、４…雌螺子バネ部材、４ａ…後端側のバネ（第１のバネ）、４ｂ…先端側のバネ（第３のバネ）、４ｃ…雌螺子部、４ｄ…鍔部（雌螺子バネ部材の第３のバネより前側の部分）、４ｅ…螺合突起（雌螺子）、５…コイルバネ（第２のバネ）、１０…棒状化粧料カートリッジ、１１…ホルダ（容器後部）、１００…棒状化粧料繰出容器（棒状物繰出容器）、Ｍ…棒状化粧料（棒状物）。
【図１】
0006473866.tif 000002
【図２】
0006473866.tif 000003
【図３】
0006473866.tif 000004
【図４】
0006473866.tif 000005
【図５】
0006473866.tif 000006
【図６】
0006473866.tif 000007
【図７】
0006473866.tif 000008
【図８】
0006473866.tif 000009
【図９】
0006473866.tif 000010